(57)【要約】【課題】従来と比較して、使用者が身体的負担を軽減する為のリラックス姿勢を、より取り易い枕を提供する。【解決手段】  積層枚数を変更可能にした積層パットと、前記積層パットを収納する主収納部を有する袋体と、前記袋体下面部の前半部と後半部に区分された下層部前袋と下層部後袋と、前記下層部前袋内と前記下層部後袋内に使用形態に応じて適宜選択的に積層可能とする薄板状の下層パットと、を備えることを特徴とする枕とする。【選択図】図１
0003216037.tif 000002
【実用新案登録請求の範囲】
【請求項１】
積層枚数を変更可能にした積層パットと、
前記積層パットを収納する主収納部を有する袋体と、
前記袋体下面部の前半部と後半部に区分された下層部前袋と下層部後袋と、
前記下層部前袋内と前記下層部後袋内に使用形態に応じて適宜選択的に積層可能とする薄板状の下層パットと、を備え、
前記主収納部の前記積層パットの上に枕本体を積層し、
前記枕本体上面の前半部に設けられた前隆起より後半部に設けられた後隆起の隆起高さを高く形成し、
前記下層部前袋と前記下層部後袋に対し前記下層パットを出し入れするための袋開口を前記下層部前袋と前記下層部後袋の互いに対向する側に設け、
前記袋開口の縁部には前記袋開口を開閉するための開閉手段として面ファスナーを設け、
しかも、前記下層パットを前記下層部前袋に収納しない状態では、前記面ファスナーのフック面部は、枕下面部の前後方向略中央寄りの位置で前記面ファスナーのループ面部に当接し、前記下層パットを１枚収納した状態では前後方向略中央から後ろ方向にずれた位置で前記面ファスナーのループ面部を当接し、前記下層パットを２枚収納した状態では前後方向略中央から更に後ろ方向にずれた位置で前記面ファスナーのループ面部に当接するように構成し、しかも、前記主収納部には前記枕本体と略同一サイズの薄板状の４枚の前記積層パットを積層収納したことを特徴とする枕。
【請求項２】
前記積層パットと前記枕本体はそれぞれメッシュ素材で覆われていることを特徴とする請求項１に記載の枕。
【考案の詳細な説明】
【技術分野】
【０００１】
本考案は、枕に関するものである。
【背景技術】
【０００２】
睡眠は身体を休息させる最良の手段であり、寝具の人体への適合度合いでその休息の程度にも変化をきたす。特に枕は、頭、肩、首の３点を支え、仰臥位における使用者の特に頸椎から胸椎にかけての部位を平面視において直線状に維持するとともに、同部位の側面視における脊椎の生理的湾曲の調整に寄与する。これにより、筋肉への負担を下げて使用者をリラックスさせたり、頭が極端に俯いた前傾状態にならない程度に維持することで気道の閉塞を回避できる仰臥位を実現できる。すなわち、枕の選定においては、枕の高さ、硬さ及び人体構造を加味した形状が良質な睡眠を実現する上で重要になる。
【０００３】
人体が床面上に仰臥位になったとき最も負担の少ない状態としては、枕に頭を乗せた状態で床面と頸椎の間にある程度の隙間ができた状態であり、男女差、並びに個々人で違いが見られる。具体的には、理想的な床面と頸椎の間の隙間は、例えば男性で６〜７ｃｍ、女性で３〜４ｃｍと言われている。
【０００４】
特許文献１には、上面を頭部受面とした枕本体と、枕本体の下側に積層される枕本体下面と略同一サイズの積層パットと、枕本体及び積層パットを積層した状態で収納可能な袋体によりなる枕が記載されている。このように構成された枕は、袋体に挿入する積層パットの枚数に応じて、頭部受面の高さ調整を容易に行うことができる。
【先行技術文献】
【特許文献】
【０００５】
【特許文献１】特開２００７−３９７号公報
【考案の概要】
【考案が解決しようとする課題】
【０００６】
しかしながら、特許文献１に開示された枕は、頭部受面の高さ調節機能を有しているものの、高さ調整を行った結果として、脊椎の生理的湾曲が理想的な湾曲からずれてしまうことについては勘案されていないため、使用者によっては脊椎の生理的湾曲が適切な湾曲となるような枕形状が実現できず、睡眠時におけるリラックス姿勢を実現する枕とならない可能性がある。
【０００７】
この考案は、上記課題を解決するためになされたもので、従来に比べて使用者が睡眠時に、よりリラックスできる姿勢を取れる枕を実現することを目的とする。
【課題を解決するための手段】
【０００８】
本考案の態様の１つは、積層枚数を変更可能にした積層パットと、前記積層パットを収納する主収納部を有する袋体と、前記袋体下面部の前半部と後半部に区分された下層部前袋と下層部後袋と、前記下層部前袋内と前記下層部後袋内に使用形態に応じて適宜選択的に積層可能とする薄板状の下層パットと、を備え、前記主収納部の前記積層パットの上に枕本体を積層し、前記枕本体上面の前半部に設けられた前隆起より後半部に設けられた後隆起の隆起高さを高く形成し、前記下層部前袋と前記下層部後袋に対し前記下層パットを出し入れするための袋開口を前記下層部前袋と前記下層部後袋の互いに対向する側に設け、前記袋開口の縁部には前記袋開口を開閉するための開閉手段として面ファスナーを設け、しかも、前記下層パットを前記下層部前袋に収納しない状態では、前記面ファスナーのフック面部は、枕下面部の前後方向略中央寄りの位置で前記面ファスナーのループ面部に当接し、前記下層パットを１枚収納した状態では前後方向略中央から後ろ方向にずれた位置で前記面ファスナーのループ面部を当接し、前記下層パットを２枚収納した状態では前後方向略中央から更に後ろ方向にずれた位置で前記面ファスナーのループ面部に当接するように構成し、しかも、前記主収納部には前記枕本体と略同一サイズの薄板状の４枚の前記積層パットを積層収納したことを特徴とする枕。
【０００９】
また、本考案の選択的な態様の１つにおいて、前記積層パットと前記枕本体はそれぞれをメッシュ素材で覆われていることを特徴とする請求項１に記載の枕。
【考案の効果】
【００１０】
本考案によれば、積層枚数を変更可能にした積層パットと、前記積層パットを収納する主収納部を有する袋体と、前記袋体下面部の前半部と後半部に区分された下層部前袋と下層部後袋と、前記下層部前袋内と前記下層部後袋内に使用形態に応じて適宜選択的に積層可能とする薄板状の下層パットと、を備え、前記主収納部の前記積層パットの上に枕本体を積層し、前記枕本体上面の前半部に設けられた前隆起より後半部に設けられた後隆起の隆起高さを高く形成し、前記下層部前袋と前記下層部後袋に対し前記下層パットを出し入れするための袋開口を前記下層部前袋と前記下層部後袋の互いに対向する側に設け、前記袋開口の縁部には前記袋開口を開閉するための開閉手段として面ファスナーを設け、しかも、前記下層パットを前記下層部前袋に収納しない状態では、前記面ファスナーのフック面部は、枕下面部の前後方向略中央寄りの位置で前記面ファスナーのループ面部に当接し、前記下層パットを１枚収納した状態では前後方向略中央から後ろ方向にずれた位置で前記面ファスナーのループ面部を当接し、前記下層パットを２枚収納した状態では前後方向略中央から更に後ろ方向にずれた位置で前記面ファスナーのループ面部に当接するように構成し、しかも、前記主収納部には前記枕本体と略同一サイズの薄板状の４枚の前記積層パットを積層収納した構成であるため、主収納部に積層パットの枚数を使用形態に応じて適宜収納することが可能であることに加え、下層部前袋と下層部後袋のそれぞれに収納する下層パットの枚数を適宜調整することが可能である。これにより、従来の枕に比べて多様な使用者が睡眠時にリラックス姿勢を取れる枕を実現する。また、前半部と後半部のどちらを頸椎との接触面として使用するかを使用者が選択可能となる。これにより、使用者の脊椎の生理的湾曲に適応した枕形状を実現しやすくなる。また、収納する下層パットの枚数に応じて枕本体の部分的な高さ調整が可能となる。そのため、使用者の脊椎の生理的湾曲に適応した枕形状に、使用者レベルとで容易に調整可能となる。
【図面の簡単な説明】
【００１１】
【図１】本考案の枕を示す平面図と下面図である。
【図２】本考案の枕を示す分解斜視図である。
【図３】本考案の枕の部分高さ調節の実施例を示す側面図である。
【図４】本考案の枕の部分高さ調節の実施例を示す側面図である。
【図５】本考案の枕の使用例を側面から観察した図である。
【図６】本考案の枕の開閉手段を面ファスナー以外に変更した例である。
【考案を実施するための形態】
【００１２】
本実施形態に係る枕は、積層枚数を変更可能にした積層パットと、前記積層パットを収納する主収納部を有する袋体と、前記袋体下面部の前半部と後半部に区分された下層部前袋と下層部後袋と、前記下層部前袋内と前記下層部後袋内に使用形態に応じて適宜選択的に積層可能とする薄板状の下層パットと、を備え、前記主収納部の前記積層パットの上に枕本体を積層し、前記枕本体上面の前半部に設けられた前隆起より後半部に設けられた後隆起の隆起高さを高く形成し、前記下層部前袋と前記下層部後袋に対し前記下層パットを出し入れするための袋開口を前記下層部前袋と前記下層部後袋の互いに対向する側に設け、前記袋開口の縁部には前記袋開口を開閉するための開閉手段として面ファスナーを設け、しかも、前記下層パットを前記下層部前袋に収納しない状態では、前記面ファスナーのフック面部は、枕下面部の前後方向略中央寄りの位置で前記面ファスナーのループ面部に当接し、前記下層パットを１枚収納した状態では前後方向略中央から後ろ方向にずれた位置で前記面ファスナーのループ面部を当接し、前記下層パットを２枚収納した状態では前後方向略中央から更に後ろ方向にずれた位置で前記面ファスナーのループ面部に当接するように構成し、しかも、前記主収納部には前記枕本体と略同一サイズの薄板状の４枚の前記積層パットを積層収納したことを特徴とする枕である。
【００１３】
このように構成された枕を用いれば、仰臥姿勢における使用者の脊椎の生理的湾曲の調節可能範囲が広がり、使用者にとって睡眠時におけるリラックス姿勢を実現できる可能性を高めることができる。
【００１４】
以下、図面を参照しつつ本実施形態に係る枕１００について具体的に説明する。
【００１５】
枕１００は、袋体１０、枕本体２０、積層パット３０、下層パット４０、を備えている。なお、本実施形態においては、平面視において、枕１００は略矩形であり、その略矩形の長手方向を左右方向、短手方向を前後方向と呼ぶことにする。また、枕１００の厚さ方向、すなわち、使用者の頭部に当接する上側から床面部等の載置面に当接する下側にかけての方向を上下方向と呼ぶことにする。
【００１６】
袋体１０は、主収納部１８、並びに、袋体１０下面の前半部と後半部に設けられた下層部前袋１２及び下層部後袋１５を備えている。これら下層部前袋１２及び下層部後袋１５が、枕１００の下面部である枕下面部１０２を構成する。下層部前袋１２及び下層部後袋１５は、枕１００を形成した状態の袋体１０において、主収納部１８の下側に設けられる。すなわち、枕１００の枕上面部１０１は主収納部１８の一部によって構成され、枕１００の枕下面部１０２は下層部前袋１２及び下層部後袋１５の一部によって構成される。
【００１７】
主収納部１８は、枕本体２０や積層パット３０の出し入れ用の主開口部１９を有する。
主開口部１９は、主開口部１９に沿って配設した線ファスナー１１によって開閉される。
【００１８】
下層部前袋１２には、第１開口部１３、第１代部１４及び第１開閉手段４４が設けられている。下層部後袋１５には、第２開口部１６、第２代部１７及び第２開閉手段４５が設けられている。
【００１９】
袋体１０は、主収納部１８に枕本体２０と積層パット３０を収納した状態で、平面視、略矩形であり、以下では、図１（ａ）に示すように袋体１０の前側面を第１長手側面２４、後側面を第２長手側面２６、右側面を第１短手側面２５、左側面を第２短手側面２７と呼ぶことにする。
【００２０】
線ファスナー１１は、袋体１０の側面の間の何れか１つの角部に隣接する２側面（第１長手側面２４と第２長手側面２６の何れか一方、及び、第１短手側面２５と第２短手側面２７の何れか一方）に亘って設けられる。図２に示す例では、第１長手側面２４から第１短手側面２５に亘って線ファスナー１１が設けられている。線ファスナー１１は、第１長手側面２４及び第１短手側面２５において、枕下面部１０２の近傍に沿って設けられている。
【００２１】
線ファスナー１１は、本実施形態において、第１長手側面２４及び第１短手側面２５の略全域に亘る長さで設けられている。図２に示す線ファスナー１１は、第１長手側面２４においては左端のキワまで延びており、第１短手側面２５においては後端のキワに設けた開口非形成領域の手前まで延びている。第１短手側面２５の後端部に開口非形成領域を設けて、線ファスナー１１の配設範囲を開口非形成領域の手前までとすることで、使用時に線ファスナー１１が使用者と接触する蓋然性は可及的に低下される。
【００２２】
図１（ｂ）に示す下層部前袋１２と下層部後袋１５は、枕下面部１０２において前後方向に並設されている。本実施形態では、枕下面部１０２の前後方向略中央よりも前方寄りに設けられる方を下層部前袋１２とし、枕下面部１０２の前後方向略中央よりも後方寄りに設けられる方を下層部後袋１５とする。下層部前袋１２及び下層部後袋１５には、使用形態に応じて適宜選択的に任意の枚数の下層パット４０が収納される。
【００２３】
下層部前袋１２は、平面視で略矩形であり、枕下面部１０２の左右方向略全体に亘る長さと、枕下面部１０２の前後方向略中央付近から第１長手側面２４のキワに亘る長さとを有する袋形状になっている。同様に、下層部後袋１５は、平面視で略矩形であり、枕下面部１０２の左右方向略全体に亘る長さと、枕下面部１０２の前後方向略中央付近から第２長手側面２６のキワに至る長さとを有する袋形状になっている。
【００２４】
下層部前袋１２の下層部後袋１５に対向する縁部には第１開口部１３が設けられ、下層部後袋１５の下層部前袋１２に対向する縁部には第２開口部１６が設けられている。下層部前袋１２と下層部後袋１５の互いに対向する縁部にそれぞれ開口部を設ける構成とすることで、枕１００の使用時に第１開口部１３と第２開口部１６が見えにくくなる。
【００２５】
下層部前袋１２と下層部後袋１５は、第１開口部１３と第２開口部１６が略当接する程度に近接して配設されており、下層部前袋１２と下層部後袋１５の左右端部における主収納部１８との縫着部において、第１開口部１３と第２開口部１６は略当接している。
【００２６】
ただし、下層部前袋１２と下層部後袋１５に下層パット４０を収納した状態では、下層パット４０の厚みにより、第１開口部１３は前方向に、第２開口部１６は後方向にそれぞれ牽引され、第１開口部１３と第２開口部１６の間は左右端部を除いて離間した状態になる。むろん、下層部前袋１２（第１開口部１３）と下層部後袋１５（第２開口部１６）とは、左右端部を含めて予め離間状態で主収納部１８に縫着してもよい。
【００２７】
図２に示す通り下層パット４０は、略一定厚みの薄手の平板状部材であり、下層部前袋１２と下層部後袋１５に収納して用いる。すなわち、図３（ａ）〜図３（ｃ）にそれぞれ示す使用形態では、下層部前袋１２に下層パット４０を収納してあり、収納した下層パット４０の厚み分、下層部前袋１２の上側に位置する部位の頭部受面が嵩上げされる。一方、図４（ａ）〜（ｃ）にそれぞれ示す使用形態では、下層部後袋１５に下層パット４０を収納してあり、収納した下層パット４０の厚み分、下層部後袋１５の上側に位置する部位の頭部受面が嵩上げされる。
【００２８】
第１開口部１３、第２開口部１６は、それぞれ下層部前袋１２と下層部後袋１５に出し入れされる略矩形を有した下層パット４０と比較して、若干長めに設計してある。これにより、下層パット４０の出し入れがしやすくなる。
【００２９】
下層部前袋１２は、第１開口部１３に沿う縁部に、左右略全体に亘る長さで幅Ｗ１の帯状の第１代部１４を有している。第１代部１４には、第１開閉手段４４が設けられる。第１開閉手段４４は、例えば、面ファスナー、線ファスナー、ホック等により構成される。図６に示す通り、第１開閉手段４４が、面ファスナーやホックにより構成される場合は、第１代部１４の左右方向に対して略３等分する位置、且つ第１代部１４の前後方向に対して第２開口部１６側の端点に配設される。例えば、面ファスナーの場合は、第１代部１４側にフック面部４４ａが配設され、枕下面部１０２側にループ面部４４ｂが配設される。
【００３０】
第１開閉手段４４としての面ファスナーのフック面部４４ａは、前後方向においてその少なくとも一部がループ面部４４ｂと当接する位置に配設される。すなわち、下層部前袋１２に収納する下層パット４０の枚数に応じて、ループ面部４４ｂに対するフック面部４４ａの当接位置が前後方向に対して変動する。具体的には、下層パット４０を収納しない状態では、フック面部４４ａは、枕下面部１０２の前後方向略中央寄りの位置でループ面部４４ｂに当接し、下層パットを１枚収納した状態では、前後方向略中央から後方向にずれた位置でループ面部４４ｂに当接し、下層パット４０を２枚収納した状態では、前後方向略中央から更に後方向にずれた位置でループ面部４４ｂに当接する。従って、面ファスナーのフック面部４４ａは、フック面部４４ａの位置変動範囲の略中間的な位置、例えば、下層パットを１枚収納した状態のループ面部４４ｂに対応する位置の枕下面部１０２に配設する。
【００３１】
下層部後袋１５は、第２開口部１６に沿う縁部に、左右略全体に亘る長さで幅Ｗ２の帯状の第２代部１７を有している。第２代部１７には、第２開閉手段４５が設けられる。第２開閉手段４５は、例えば、面ファスナー、線ファスナー、ホック等により構成される。図６に示す通り、第２開閉手段４５が、面ファスナーやホックにより構成される場合は、第２代部１７の左右方向に対して略３等分する位置、且つ第２代部１７の前後方向に対して第１開口部１３側の端点に配設される。例えば、面ファスナーの場合は、第２代部１７側にフック面部４５ａが配設され、枕下面部１０２にループ面部４５ｂが配設される。
【００３２】
面ファスナーのフック面部４５ａは、前後方向においてその少なくとも一部がループ面部４５ｂと当接する位置に配設される。すなわち、下層部後袋１５に収納する下層パット４０の枚数に応じて、ループ面部４５ｂに対するフック面部４５ａの当接位置が前後方向に対して変動する。具体的には、下層パット４０を収納しない状態では、フック面部４５ａは、枕下面部１０２の前後方向略中央寄りの位置でループ面部４５ｂに当接し、下層パットを１枚収納した状態では、前後方向略中央から前方向にずれた位置でループ面部４５ｂに当接し、下層パット４０を２枚収納した状態では、前後方向略中央から更に前方向にずれた位置でループ面部４５ｂに当接する。従って、面ファスナーのフック面部４５ａは、フック面部４５ａの位置変動範囲の略中間的な位置、例えば、下層パットを１枚収納した状態のループ面部４５ｂに対応する位置の枕下面部１０２に配設する。
【００３３】
第１開閉手段４４は、下層部前袋１２内の所定位置に収容された下層パット４０の前側近傍に位置しており、第１開閉手段４４を閉じると下層部前袋１２内の下層パット４０の前方向への移動を規制する。同様に、第２開閉手段４５は、下層部後袋１５内の所定位置に収容された下層パット４０の後側近傍に位置しており、第２開閉手段４５を閉じると下層部後袋１５内の下層パット４０の後方向への移動を規制する。
【００３４】
ここで、下層パット４０が、下層部前袋１２と下層部後袋１５内で所定の位置に配設された状態で、枕下面部１０２に占める領域を第１専有領域４１、第２専有領域４２と呼称し、第１専有領域４１と第２専有領域４２の間の領域を不干渉領域４３と呼称する。不干渉領域４３を設けることで、下層部前袋１２と下層部後袋１５に対する下層パット４０の出し入れが容易になる。上述した一対の第１開閉手段４４と一対の第２開閉手段４５が固定されるエリアは、この不干渉領域４３に含まれる。
【００３５】
下層部前袋１２と下層部後袋１５は、下層パット４０を所定枚数収容できる程度の余裕を持って形成される。下層パット４０は、下層部前袋１２と下層部後袋１５の袋内に積層して収容される。前記所定枚数とは、１枚以上の複数枚とする。例えば、所定枚数が２枚の場合には、下層部前袋１２と下層部後袋１５には、それぞれ、０枚、１枚、２枚のいずれかの枚数で下層パット４０を収容することが出来る。
【００３６】
枕本体２０は、主収納部１８内側の最も上面寄りに配置され、その枕本体２０の上面が頭部受面を構成する。枕本体２０は、平面視において略矩形を有している。枕本体２０の上面は、前後方向に沿って波打つ波型形状を有している。当該波型形状は、概略、左右方向に延びる畝状の第１隆起２１（前隆起）と第２隆起２２（後隆起）を連続的に前後方向に沿って並設した構造であり、第１隆起２１と第２隆起２２の間に溝状の凹部２３を有する。本実施形態においては、第１隆起２１が前隆起を構成し、第２隆起２２が後隆起を構成する。第１隆起２１と第２隆起２２は互いに隆起高さが相違し、本実施形態では第１長手側面２４寄りの第１隆起２１よりも第２長手側面２６寄りの第２隆起２２の方が高い。
【００３７】
枕本体２０は、主収納部１８内において枕本体２０の下面側に積層パット３０を所定枚数、積層収容して用いる。積層パット３０は、平面視において略矩形を有しており、枕本体２０と略同一サイズである。また、積層パット３０は、正面視においても左右に長い略矩形を有した薄板状のパットである。前記所定枚数とは、１枚以上の複数枚とする。例えば、所定枚数が４枚の場合、主収納部１８には、０枚、１枚、２枚、３枚、４枚のいずれかの枚数で積層パット３０を積層収容する。
【００３８】
枕本体２０、及び積層パット３０は、枕１００として形成された状態における袋体１０の第１長手側面２４から第１短手側面２５に配設した線ファスナー１１のスライダーを動かして開閉される主開口部１９より出し入れされる。枕本体２０は、使用者が仰臥位から左右側臥位に移行した際にも枕本体２０から頭部が落下しないよう配慮された幅を有している。例えば、枕本体２０は、平均的な日本人の頭囲（５５ｃｍ）を考慮した左右方向５０ｃｍ程度の幅とすることが出来る。線ファスナー１１により形成される主開口部１９の最大開口長は、枕本体２０、及び積層パット３０の平面視における矩形の長辺よりも長く、対角線よりも短い長さで形成される。そのため、線ファスナー１１により形成される主開口部１９の最大開口長は、枕本体２０と積層パット３０の長手側面よりも長く、枕本体２０と積層パット３０を出し入れしやすいサイズとなっている。
【００３９】
枕１００として形成された状態において、第１専有領域４１は、第１隆起２１の下面側に位置し、第２専有領域４２は第２隆起２２の下面側に位置する。そのため、下層部前袋１２と下層部後袋１５へ収容する下層パット４０の枚数により枕１００の第１隆起２１及び第２隆起２２の高さ調節が出来る。例えば、図３（ｃ）に示すように、下層部前袋１２へ下層パット４０を２枚挿入した場合は、第１隆起２１の部分が下層部前袋１２に何も収容されていない状態と比べて相対的に高くなる。
【００４０】
枕本体２０は、仰臥位における使用者を側面から観測した際の、胸椎から頸椎にかけての脊椎の生理的湾曲に影響を及ぼす。使用者は、第１隆起２１、及び第２隆起２２の部分的な高さ調節を行うことで、枕１００の頭部受面の形状や傾きを調整し、使用者の胸椎から頸椎にかけて個々人が有するリラックス形状に調整することが出来る。枕本体２０、積層パット３０及び下層パット４０は、頭部を載置した状態で上述したリラックス形状を維持できる程度の硬さを有する可撓性素材で形成されている。具体的には、例えば、高反発の発泡ウレタンにより形成することが出来る。
【００４１】
枕本体２０と積層パット３０は、上述した硬さを有する材料の全体をメッシュ素材で覆われている。枕本体２０と積層パット３０は、外面がメッシュ素材で覆われているため主収納部１８内面と比較して高い摩擦力を発生する。そのため、使用者の睡眠中の動作による枕本体２０と積層パット３０の水平方向における相対的な位置関係の変動が生じにくくなっている。
【００４２】
以上説明したように、本実施形態に係る枕１００は、枕本体２０と、積層パット３０と、枕本体２０と積層パット３０とを収納する主収納部１８を有する袋体１０と袋体１０の枕下面部１０２に枕下面部１０２の長手方向の略全体に亘る長さで枕下面部１０２の短手方向の略中央部を挟んで両側にそれぞれ設けられた袋上の下層部前袋１２及び下層部後袋１５と、下層部前袋１２及び下層部後袋１５の互いに対向する側にそれぞれ設けられた第１開口部１３及び第２開口部１６と、第１開口部１３及び第２開口部１６を開閉するために各開口部の縁部にそれぞれ設けられた第１開閉手段４４及び第２開閉手段４５と、必要に応じて下層部前袋１２及び下層部後袋１５内に収納する下層パット４０の枚数調整により、枕１００の頭部受面の傾きや高さの調整自由度が向上し、従来に比べて使用者が睡眠時に、よりリラックスできる姿勢を取れる枕を実現することができる。
【００４３】
なお、本考案は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本考案の技術的範囲は上述した実施形態に限定されず、実用新案登録請求の範囲に記載された事項とその均等物まで及ぶものである。
【符号の説明】
【００４４】
１０…袋体、１１…線ファスナー、１２…下層部前袋、１３…第１開口部、１４…第１代部、１５…下層部後袋、１６…第２開口部、１７…第２代部、１８…主収納部、１９…主開口部、２０…枕本体、２１…第１隆起、２２…第２隆起、２３…凹部、２４…第１長手側面、２５…第１短手側面、２６…第２長手側面、２７…第２短手側面、３０…積層パット、４０…下層パット、４１…第１専有領域、４２…第２専有領域、４３…不干渉領域、４４…第１開閉手段、４４ａ…フック面部、４４ｂ…ループ面部、４５…第２開閉手段、４５ａ…フック面部、４５ｂ…ループ面部、１００…枕、１０１…枕上面部、１０２…枕下面部
【図１】
0003216037.tif 000003
【図２】
0003216037.tif 000004
【図３】
0003216037.tif 000005
【図４】
0003216037.tif 000006
【図５】
0003216037.tif 000007
【図６】
0003216037.tif 000008